(57)【要約】      （修正有）【課題】入退室管理システムにおいて、複数の非接触カードリーダが近接して設置された場合であっても、誤ったカード照合が行われることを確実に防止する。【解決手段】複数の非接触カードリーダ４、５にそれぞれ設けられたアンテナのＯＮ状態が重なることを回避するように、アンテナの動作状態を予め制御するコントローラ６を備える。【選択図】図３
2011134210.tif 000002
【特許請求の範囲】
【請求項１】
複数の非接触カードリーダにそれぞれ設けられたアンテナのＯＮ状態が重なることを回避するように、前記アンテナの動作状態を予め制御するコントローラ、
を備えた入退室管理システム。              
【請求項２】
前記コントローラは、２つの非接触カードリーダの一方のアンテナがＯＮ状態のときに、前記２つの非接触カードリーダの他方のアンテナがＯＦＦ状態となるように、前記アンテナの動作状態を制御するとともに、前記２つの非接触カードリーダの一方のアンテナがＯＦＦ状態のときに、前記２つの非接触カードリーダの他方のアンテナがＯＮ状態となるように、前記アンテナの動作状態を制御することを特徴とする請求項１記載の入退室管理システム。
【請求項３】
前記コントローラは、前記複数の非接触カードリーダの照合結果によって得られた部屋の在室者の人数に基づいて、前記アンテナのＯＮ状態の継続時間の長さを調整することを特徴とする請求項１又は請求項２に記載の入退室管理システム。
【発明の詳細な説明】
【技術分野】
【０００１】
この発明は、敷地内やビル内の通行を管理する入退室管理システムに関するものである。
【背景技術】
【０００２】
従来の入退室管理システムにおいては、非接触ＩＣカードリーダのアンテナが常にＯＮ状態となっている。このため、複数の非接触ＩＣカードが近接して設置された場合、任意の非接触ＩＣカードリーダのアンテナから発信された電波を、他の非接触ＩＣカードリーダが受信することがある。この場合、ＩＣカードでのカード操作が行われていないにも関わらず、誤ってカード照合を行ってしまう。
【０００３】
そこで、非接触ＩＣカードから受信したデータを不適と判定したときに、非接触ＩＣカードに対する送受信データの通信周期を変更するものが提案されている（例えば、特許文献１参照）。
【先行技術文献】
【特許文献】
【０００４】
【特許文献１】特開平１０−１２４６３３号公報
【発明の概要】
【発明が解決しようとする課題】
【０００５】
しかし、特許文献１記載のものは、非接触ＩＣカードから受信したデータを不適と判定したときに初めて通信周期を変更するものである。このため、受信したデータを不適と判定したときには、照合エラーとなった履歴が残ってしまうという問題があった。
【０００６】
この発明は、上述のような課題を解決するためになされたもので、その目的は、複数の非接触カードリーダが近接して設置された場合であっても、誤ったカード照合が行われることをより確実に防止することができる入退室管理システムを提供することである。
【課題を解決するための手段】
【０００７】
この発明に係る入退室管理システムは、複数の非接触カードリーダにそれぞれ設けられたアンテナのＯＮ状態が重なることを回避するように、前記アンテナの動作状態を予め制御するコントローラ、を備えたものである。
【発明の効果】
【０００８】
この発明によれば、複数の非接触カードリーダが近接して設置された場合であっても、誤ったカード照合が行われることをより確実に防止することができる。
【図面の簡単な説明】
【０００９】
【図１】この発明の実施の形態１における入退室管理システムの基本構成図である。
【図２】この発明の実施の形態１における入退室管理システムの基本動作を説明するためのフローチャートである。
【図３】この発明の実施の形態１における入退室管理システムの非接触ＩＣカードリーダの制御方法を説明するための構成図である。
【図４】この発明の実施の形態１における入退室管理システムに特有の動作を説明するためのフローチャートである。
【図５】この発明の実施の形態２における入退室管理システムの非接触ＩＣカードリーダの制御方法を説明するための構成図である。
【図６】この発明の実施の形態２における入退室管理システムに特有の動作を説明するためのフローチャートである。
【発明を実施するための形態】
【００１０】
この発明を実施するための形態について添付の図面に従って説明する。なお、各図中、同一又は相当する部分には同一の符号を付しており、その重複説明は適宜に簡略化ないし省略する。
【００１１】
実施の形態１．
図１はこの発明の実施の形態１における入退室管理システムの基本構成図である。
図１において、１は部屋Ａである。２は部屋Ｂである。この部屋Ｂ２は、部屋Ａ１に隣接している。３は壁である。この壁３は、部屋Ａ１と部屋Ｂ２とを区切っている。
【００１２】
４は非接触ＩＣカードリーダＡである。この非接触ＩＣカードリーダＡ４は、壁３の部屋Ａ１側近傍に設けられる。５は非接触ＩＣカードリーダＢである。この非接触ＩＣカードリーダＢ５は、壁３の部屋Ｂ２側近傍に設けられる。６はコントローラである。このコントローラ６は、制御信号Ａ７により非接触ＩＣカードリーダＡ４のアンテナの動作状態を制御する機能を備える。また、コントローラ６は、制御信号Ｂ８により非接触ＩＣカードリーダＡ４の動作状態を制御する機能を備える。
【００１３】
ここで、９は電波である。この電波９は、非接触ＩＣカードリーダＡ４のアンテナから送信されたものである。この電波９は、壁３を通り抜けることができる。このため、非接触ＩＣカードリーダＡ４及びＢ５が近接して設置された場合、非接触ＩＣカードリーダＢ５のアンテナが電波９を受信することがある。
【００１４】
次に、入退室管理システムの基本動作を説明する。
図２はこの発明の実施の形態１における入退室管理システムの基本動作を説明するためのフローチャートである。
まず、ステップＳ１で、コントローラ６から非接触ＩＣカードリーダＡ４及びＢ５へアンテナをＯＮするように制御信号Ａ７及びＢ８が送信され、ステップＳ２に進む。ステップＳ２では、非接触ＩＣカードリーダＡ４及びＢ５のアンテナがＯＮ状態となり、電波９の発信と受信が行われ、ステップＳ３に進む。
【００１５】
ステップＳ３では、近い位置に複数台の非接触ＩＣカードリーダが設置されているか否かにより、その後の動作が変わる。即ち、本実施の形態では、近い位置に非接触ＩＣカードリーダＡ４及びＢ５が設置されていない場合は、ステップＳ４に進み、カード照合があるまで非接触ＩＣカードリーダＡ４及びＢ５が待機状態となる。
【００１６】
しかし、ステップＳ３で近い位置に非接触ＩＣカードリーダＡ４及びＢ５が設置されている場合は、ステップＳ５に進み、非接触ＩＣカードリーダＡ４及びＢ５の一方のアンテナが発した電波９が非接触ＩＣカードリーダＡ４及びＢ５の他方のアンテナに受信されてしまう。従って、その後のステップＳ６では、照合エラーとなるものの、無人の場合でもカード照合が行われた履歴が残ってしまう。
【００１７】
即ち、上記基本動作では、非接触ＩＣカードリーダＡ４及びＢ５の他方では、ＩＣカードでのカード操作が行われていないにも関わらず、誤ったカード照合が行われて照合エラーとなった履歴が残ってしまう。そこで、本実施の形態の入退室管理システムは、誤ったカード照合が行われることを確実に防止する構成とした。以下、本実施の形態の入退室管理システムを詳細に説明する。
【００１８】
図３はこの発明の実施の形態１における入退室管理システムの非接触ＩＣカードリーダの制御方法を説明するための構成図である。
図３において、コントローラ６は、パルス状の制御信号Ａ７及びＢ８が「Ｈ」のときに、非接触ＩＣカードリーダＡ４及びＢ５のアンテナがＯＮ状態となるように制御する。
【００１９】
具体的には、コントローラ６は、非接触ＩＣカードリーダＡ４のアンテナのＯＮ状態をタイミングＡ１０で制御する。これに対し、コントローラ６は、非接触ＩＣカードリーダＢ５のアンテナのＯＮ状態をタイミングＢ１１で制御する。これらのタイミングＡ１０及びＢ１１の「Ｈ」は、互いに背反となるように予め設定されたものである。これにより、タイミングＡ１０及びＢ１１の「Ｈ」は、互いに重なることを回避する。
【００２０】
即ち、コントローラ６は、非接触ＩＣカードリーダＡ４のアンテナがＯＮ状態のときに、非接触ＩＣカードＢ５のアンテナがＯＦＦ状態となるように、両アンテナの動作状態を制御する。また、コントローラ６は、非接触ＩＣカードリーダＡ４のアンテナがＯＦＦ状態のときに、非接触ＩＣカードＢ５のアンテナがＯＮ状態となるように、両アンテナの動作状態を制御する。
【００２１】
次に、図４を用いて、本実施の形態の入退室管理システムに特有の動作を説明する。
図４はこの発明の実施の形態１における入退室管理システムに特有の動作を説明するためのフローチャートである。
【００２２】
まず、ステップＳ１１で、コントローラ６に設けられたスイッチ等に切り替えられる設置モード等に基づいて、非接触ＩＣカードリーダが複数台有るか否かが判断される。複数台の非接触ＩＣカードが設置されていない場合は、ステップＳ１２に進む。ステップＳ１２では、上記基本動作と同様の動作が行われる。即ち、コントローラ６から非接触ＩＣカードリーダＡ４及びＢ５へアンテナをＯＮするように制御信号Ａ７及びＢ８が送信され、ステップＳ１３に進む。ステップＳ１３では、カード照合があるまで非接触ＩＣカードリーダＡ４及びＢ５が待機状態となる。
【００２３】
これに対し、ステップＳ１１で複数台の非接触ＩＣカードリーダが設置されている場合は、ステップＳ１４に進む。ステップＳ１４では、コントローラ６から非接触ＩＣカードリーダＡ４及びＢ５へアンテナをＯＮするパルス状の制御信号Ａ７及びＢ８が送信され、ステップＳ１５に進む。ステップＳ１５では、非接触ＩＣカードリーダＡ４は、制御信号Ａ７が「Ｈ」のときのみアンテナがＯＮ状態となるように制御される。また、非接触ＩＣカードリーダＢ５は、制御信号Ｂ８が「Ｈ」のときのみアンテナがＯＮ状態となるように制御される。
【００２４】
その後、ステップＳ１６に進み、カード照合があるまで非接触ＩＣカードリーダＡ４及びＢ５が待機状態となる。このとき、パルス状の制御信号Ａ７及びＢ８の「Ｈ」は、互いに背反である。このため、複数のアンテナが同時にＯＮ状態とはならない。従って、非接触ＩＣカードＡ４及びＢ５は、互いのアンテナからの電波９で、誤ってカード照合することはない。
【００２５】
以上で説明した実施の形態１によれば、コントローラ６は、非接触ＩＣカードリーダＡ４及びＢ５等、複数の非接触ＩＣカードリーダにそれぞれ設けられたアンテナのＯＮ状態が重なることを回避するように、アンテナの動作状態を制御する。
【００２６】
具体的には、非接触ＩＣカードリーダＡ４及びＢ５の一方のアンテナがＯＮ状態のときに、非接触ＩＣカードリーダＡ４及びＢ５の他方のアンテナがＯＦＦ状態となるように、アンテナの動作状態が制御される。また、非接触ＩＣカードリーダＡ４及びＢ５の一方がＯＦＦ状態のときに、非接触ＩＣカードリーダＡ４及びＢ５の他方のアンテナがＯＮ状態となるように、アンテナの動作状態が制御される。
【００２７】
このため、非接触ＩＣカードリーダＡ４及びＢ５等、複数の非接触ＩＣカードリーダが近接して設置された場合であっても、誤ったカード照合が行われることをより確実に防止することができる。
【００２８】
実施の形態２．
図５はこの発明の実施の形態２における入退室管理システムの非接触ＩＣカードリーダの制御方法を説明するための構成図である。なお、実施の形態１と同一又は相当部分には同一符号を付して説明を省略する。
【００２９】
実施の形態１においては、非接触ＩＣカードリーダＡ４及びＢ５のアンテナがＯＮ状態となっている時間の長さは略同様であった。一方、実施の形態２においては、非接触ＩＣカードリーダＡ４及びＢ５のアンテナがＯＮ状態となっている時間の長さは、部屋Ａ１及びＢ２の在室者Ａ１２及びＢ１３の人数に基づいて調整されるようになっている。具体的には、コントローラ６が、カード照合の回数をカウントすることによって、部屋Ａ１及びＢ２の在室人数をカウントする機能を備えている。
【００３０】
図５においては、部屋Ａ１の在室者Ａ１２の人数の方が部屋Ｂ２の在室者Ｂ１３の人数よりも多い。この場合、コントローラ６は、パルス状の制御信号Ａ７の「Ｈ」の期間を初期設定時よりも長く設定する。これにより、非接触ＩＣカードリーダＡ４のアンテナのＯＮ状態の継続時間が初期設定時よりも長くなる。これに対し、コントローラ６は、制御信号Ｂ８の「Ｈ」の期間を初期設定時よりも短く設定する。これにより、非接触ＩＣカードリーダＢ５のアンテナのＯＮ状態が初期設定時よりも短くなる。
【００３１】
次に、図６を用いて、本実施の形態の入退室管理システムに特有の動作を説明する。
図６はこの発明の実施の形態２における入退室管理システムに特有の動作を説明するためのフローチャートである。
【００３２】
まず、ステップＳ２１〜Ｓ２３では、実施の形態２のステップＳ１１〜Ｓ１３と同様に、基本動作と同様の動作が行われる。これに対し、ステップＳ２１で複数台の非接触ＩＣカードリーダが設置されている場合は、ステップＳ２４に進む。
【００３３】
ステップＳ２４では、部屋Ａ１の方が部屋Ｂ２よりも人数が多いか否かが判断される。部屋Ａ１の方が部屋Ｂ２よりも人数が多い場合は、ステップＳ２５に進む。ステップＳ２５では、コントローラ６から非接触ＩＣカードリーダＡ４へ送信されるパルス状の制御信号Ａ７の「Ｈ」の継続時間が長くなる。これに対し、コントローラ６から非接触ＩＣカードリーダＡ４へ送信されるパルス状の制御信号Ｂ８の「Ｈ」の期間が短くなる。その後、ステップＳ２６に進み、非接触ＩＣカードリーダＡ４のアンテナのＯＮ状態の継続時間が長くなり、在室人数が多い部屋Ａ１でも円滑にカード照合が行われる。
【００３４】
一方、ステップＳ２４で部屋Ｂ２の方が部屋Ａ１よりも人数が多い場合は、ステップＳ２７に進む。ステップＳ２７では、コントローラ６から非接触ＩＣカードリーダＢ５へ送信されるパルス状の制御信号Ｂ８の「Ｈ」の期間が長くなる。これに対し、非接触ＩＣカードリーダＡ４へ送信されるパルス状の制御信号Ａ７の「Ｈ」の継続時間が短くなる。その後、ステップＳ２８に進み、非接触ＩＣカードリーダＢ５のアンテナがＯＮ状態の継続時間が長くなり、在室人数が多い部屋Ｂ２でも円滑にカード照合が行われる。
【００３５】
以上で説明した実施の形態２によれば、コントローラ６は、非接触ＩＣカードリーダＡ４及びＢ５の照合結果によって得られた部屋Ａ１及びＢ２の在室者Ａ１２及びＢ１３の人数に基づいて、非接触ＩＣカードリーダＡ４及びＢ５のアンテナがＯＮ状態となっている時間の長さを調整する。このため、部屋Ａ１及びＢ２の在室人数の多少に応じて、利用者がより円滑にカード照合を行うことができる。
【００３６】
なお、実施の形態１及び２においては、２つの非接触ＩＣカードリーダＡ４及びＢ５を用いた入退室管理システムであった。しかし、非接触ＩＣカードリーダの数は任意であってもよい。この場合であっても、アンテナの動作状態を上記同様に制御すれば、誤ったカード照合が行われることを確実に防止することができる。
【符号の説明】
【００３７】
１  部屋Ａ、  ２  部屋Ｂ、  ３  壁、  ４  非接触ＩＣカードリーダＡ、  
５  非接触ＩＣカードリーダＢ、  ６  コントローラ、  ７  制御信号Ａ、
８  制御信号Ｂ、  ９  電波、  １０  タイミングＡ、  １１  タイミングＢ、
１２  在室者Ａ、  １３  在室者Ｂ
【図１】
2011134210.tif 000003
【図２】
2011134210.tif 000004
【図３】
2011134210.tif 000005
【図４】
2011134210.tif 000006
【図５】
2011134210.tif 000007
【図６】
2011134210.tif 000008